(57)【要約】【課題】改質用触媒の存在下でのアルコールの水蒸気改質に際し、改質用触媒の経時的な性能低下を抑制して、長期に亘って安定した水素製造が可能な水素製造用エアルコールを提供する。【解決手段】アルデヒド類およびエーテル類から選ばれる少なくとも１つの有機化合物を０．００５体積％以上含有することを特徴とする水素製造用アルコール。【選択図】    なし【特許請求の範囲】
【請求項１】
アルデヒド類およびエーテル類から選ばれる少なくとも１つの有機化合物を０．００５体積％以上含有することを特徴とする水素製造用アルコール。
【請求項２】
前記アルコールがエタノールであることを特徴とする請求項１記載の水素製造用アルコール。
【請求項３】
アルデヒド類およびエーテル類から選ばれる少なくとも１つの有機化合物を０．００５体積％以上含有するアルコールを改質用触媒の存在下で水蒸気改質反応させることを特徴とする水素の製造方法。
【請求項４】
前記アルコールがエタノールであることを特徴とする請求項３記載の水素の製造方法。
【請求項５】
前記水蒸気改質反応の場に改質用触媒と共に二酸化炭素吸収材を共存させることを特徴とする請求項３記載の水素の製造方法。
【請求項６】
前記二酸化炭素吸収材がリチウム複合酸化物を含むことを特徴とする請求項５記載の水素の製造方法。
【発明の詳細な説明】
【技術分野】
【０００１】
本発明は、水素製造の原料に用いられるアルコールおよびこのアルコールを水蒸気改質反応させて水素を製造する方法に関する。
【背景技術】
【０００２】
アルコール、例えばエタノールと高温の水蒸気を反応させて水素を生成する水蒸気改質反応は、触媒の存在下で下記式（１）によりなされる。
【０００３】
Ｃ2Ｈ5ＯＨ＋３Ｈ2Ｏ⇔６Ｈ2＋２ＣＯ2    …（１）
適切な反応温度、エタノールと水蒸気の比、触媒を選択することにより、前記式（１）の反応が右方向に進行して、水素を得ることが可能である。
【０００４】
実際の水素の製造においては、主生成物である水素、副生成物である二酸化炭素に加えて、一酸化炭素、メタン、固形炭素等が生成し、前記式（１）の反応が完全に進行しない。このため、水素の収率はエタノール１モルから得られる水素の量すなわち理論上の６モルに達しない。
【０００５】
このようなことから特許文献１，２には、改質反応のような副生成物として二酸化炭素が生成する反応において、従来の固体触媒に加え、リチウム複合酸化物を含む無機の二酸化炭素吸収体を用いることによって、４００℃を超える高温反応場から二酸化炭素を除去し、前記式（１）の化学平衡を主生成物の生成側にシフトさせて水素を効率的に得る方法が開示されている。リチウム複合酸化物の中でリチウムシリケートは特に二酸化炭素吸収速度が大きいため化学平衡のシフトに適した材料であることが知られている。リチウムシリケートによる二酸化炭素吸収の反応を下記式（２）に示す。
【０００６】
Ｌｉ4ＳｉＯ4＋ＣＯ2⇔Ｌｉ2ＣＯ3＋Ｌｉ2ＳｉＯ3    …（２）
前記式（２）において、右向きの反応が起きれば、反応場の二酸化炭素がリチウムシリケートと反応して吸収される。二酸化炭素吸収材をエタノールの水蒸気改質の反応場に存在させることによって、平衡のシフトにより水素の収率が増大し、同時に二酸化炭素、一酸化炭素、メタン等の不純物の濃度が低下する。その結果、エネルギー変換効率が高くなり、水分除去後の水素濃度が９６％にまで達することが計算により示されている。したがって、二酸化炭素吸収材を共存させない場合に比べてより効率の良い水素の製造は可能である。
【０００７】
しかしながら、水蒸気改質反応場に触媒のみを存在させる、触媒および二酸化炭素吸収材を存在させる、いずれの場合でもエタノールを原料として水素の製造を繰り返すと、触媒表面、触媒と二酸化炭素吸収材の表面に炭素が析出する等の現象が発生して、それらの触媒、二酸化炭素吸収材の性能が経時的に低下する。
【特許文献１】特開平１０−１５２３０２号公報
【特許文献２】特開２００２−２７４８０９
【発明の開示】
【発明が解決しようとする課題】
【０００８】
本発明は、水蒸気改質反応の原料に適したアルコール、特にエタノールを提供しようとするものである。
【０００９】
また、本発明は改質用触媒の存在下、または改質用触媒と二酸化炭素吸収材の存在下でのアルコール、特にエタノールを水蒸気改質反応させる際、改質用触媒または改質用触媒と二酸化炭素吸収材の経時的な性能低下を抑制することが可能な水素製造方法を提供するものである。
【課題を解決するための手段】
【００１０】
本発明によると、アルデヒド類およびエーテル類から選ばれる少なくとも１つの有機化合物を０．００５体積％以上含有することを特徴とする水素製造用アルコールが提供される。
【００１１】
また本発明によると、アルデヒド類およびエーテル類から選ばれる少なくとも１つの有機化合物を０．００５体積％以上含有するアルコールを改質用触媒の存在下で水蒸気改質反応させることを特徴とする水素の製造方法が提供される。
【発明の効果】
【００１２】
本発明によれば、水蒸気改質反応の原料に適したアルコールを提供することができる。
【００１３】
また本発明によれば、改質用触媒の存在下、または改質用触媒と二酸化炭素吸収材の存在下でのアルコールを水蒸気改質反応させる際、改質用触媒または改質用触媒と二酸化炭素吸収材の経時的な性能低下を抑制して長期に亘り水素を高収率で安定的に製造することが可能な方法を提供できる。
【発明を実施するための最良の形態】
【００１４】
以下、本発明の実施形態に係る水素製造用アルコールおよび水素の製造方法を詳細に説明する。
【００１５】
実施形態に係る水素製造用エタノールは、アルデヒド類およびエーテル類から選ばれる少なくとも１つの有機化合物を０．００５体積％以上含有する。
【００１６】
前記アルデヒド類としては、例えばホルムアルデヒド、アセトアルデヒド、プロピオンアルデヒド等が挙げられ、単独または混合物の形態で用いることができる。これらのアルデヒド類の中で、特にアセトアルデヒドが好ましい。前記エーテル類としては、例えばジメチルエーテル、エチルメチルエーテル、ジエチルエーテル、１，１−ジエトキシエタン等が挙げられ、単独または混合物の形態で用いることができる。これらのエーテル類の中で、特に１，１−ジエトキシエタンが好ましい。アルデヒド類およびエーテル類の中ではアセトアルデヒドが最も好ましい。アルデヒド類およびエーテル類は、混合して用いることができる。
【００１７】
エタノール中のアルデヒド類およびエーテル類は、例えば質量検出器付きガスクロマトグラフにより定量分析することができる。
【００１８】
前記アルデヒド類のような有機化合物の含有量を０．００５体積％未満にすると、エタノールの水蒸気改質反応の際、改質用触媒（およびこの触媒と共存される二酸化炭素吸収材）への炭素析出を防ぐことが困難になり、これらの性能が経時的に低下する虞がある。前記アルデヒド類のような有機化合物の含有量の上限は、２０体積％であることが好ましい。より好ましい有機化合物の含有量は、０．００５〜１０体積％、最も好ましい有機化合物の含有量は０．１〜２．０体積％である。
【００１９】
実施形態に係る水素の製造方法は、前述したアルデヒド類およびエーテル類から選ばれる少なくとも１つの有機化合物を０．００５体積％以上含有するアルコール、特にエタノールを原料とし、改質用触媒の存在下で水蒸気改質反応させる。この水蒸気改質の反応場には、改質用触媒と共に二酸化炭素吸収材を共存させることを許容する。
【００２０】
このような水素の製造方法を図１を参照して具体的に説明する。図１は、実施形態に係るエタノールからの水素製造に用いられる改質反応装置を示す部分断面図である。
【００２１】
改質反応器１は、両端にフランジ２ａ，２ｂを有する円筒状本体３と、この本体３の一端（上端）のフランジ２ａに当接され、ガス導入管４を有する上部円環状蓋体５と、前記本体３の他端（下端）のフランジ２ｂに当接され、生成ガス排出管６を有する下部円環状蓋体７とを備えている。前記円筒状本体３のフランジ２ａ，２ｂには、複数のボルト挿通穴（図示せず）が開口され、前記各円環状蓋体５、７にもこれら挿通穴に対応してボルト挿通穴（図示せず）が開口され、円筒状本体３上端のフランジ２ａと上部円環状蓋体５の合致したボルト挿通穴、および円筒状本体３下端のフランジ２ｂと下部円環状蓋体７の合致したボルト挿通穴にボルトをそれぞれ挿入し、ナットで締め付けることによって、各円環状蓋体５、７が円筒状本体３に固定される。
前記上部円環状蓋体５におけるガス導入管４の開口部および前記下部円環状蓋体７における生成ガス排出管６の開口部には、メッシュ８，９がそれぞれ取り付けられている。前記生成ガス排出管６には、背圧弁１０および圧力計１１が備えられている。改質用触媒１２およびリチウム複合酸化物を含む二酸化炭素吸収材１３は、前記改質反応器１の円筒状本体３内に混合してそれぞれ充填されている。
【００２２】
なお、前記円筒状本体３を含むガス導入管４の一部および生成ガス排出管６の一部の外周面には加熱源、例えば所定の温度に加熱された燃焼ガスが流通する加熱部材（図示せず）が設けられている。
【００２３】
図１に示す改質反応装置を用いて実施形態に係るエタノールからの水素の製造方法を以下に説明する。
【００２４】
アルデヒド類およびエーテル類から選ばれる少なくとも１つの有機化合物を０．００５体積％以上含有するエタノールと水を混合したエタノール水溶液を予め蒸気化し、このエタノール蒸気および水蒸気をガス導入管４を通して円筒状本体３内に充填された改質用触媒１２とリチウム複合酸化物（例えばリチウムシリケート）を含む二酸化炭素吸収材１３に流通、接触させる。このとき、加熱部材（図示せず）に燃焼ガスを流通させることにより本体３内を所望の温度に加熱する。このようなエタノール蒸気および水蒸気の円筒状本体３内への導入、円筒状本体３の加熱によって、改質用触媒１２の存在下でエタノールが前述した式（１）に従って水蒸気改質反応がなされて主に水素と二酸化炭素が生成され、同時に二酸化炭素が改質用触媒１２と共存された二酸化炭素吸収材（リチウムシリケート）１３と前述した式（２）に従って反応して吸収、除去される。その結果、前述した式（１）の反応が促進される。生成した水素は、生成ガス排出管６を通して回収される。
【００２５】
前記改質用触媒は、例えば担体に触媒金属微粒子を担持した構造のものが用いられる。前記担体としては、例えばアルミナ、マグネシア、セリア、酸化ランタン、ジルコニア、シリカ、チタニア等を挙げることができる。前記触媒金属としては、例えばニッケル、ルテニウム、ロジウム、パラジウム、白金、コバルト等を挙げることができ、特にニッケル、ロジウムが好ましい。
【００２６】
前記二酸化炭素吸収材としては、リチウム複合酸化物単独、或いはリチウム複合酸化物と炭酸カリウムもしくは炭酸ナトリウムのようなアルカリ炭酸塩またはアルカリ酸化物等のアルカリ化合物との混合物が挙げられる。リチウム複合酸化物としては、例えばリチウムシリケート、リチウムジルコニア等を挙げることができ、特にリチウムシリケートが好ましい。リチウムシリケートは、例えばＬｉxＳｉyＯz（ただしｘ＋４ｙ−２ｚ＝０）で示されるものを用いることができる。このような式で示されるリチウムシリケートとしては、例えばリチウムオルトシリケート（Ｌｉ4ＳｉＯ4）、リチウムメタシリケート（Ｌｉ2ＳｉＯ3）、Ｌｉ6Ｓｉ2Ｏ7、Ｌｉ8ＳｉＯ6等を用いることができる。特に、リチウムオルトシリケートは吸収と放出での温度が高く、高温での炭酸ガスの分離が可能であるため、好ましい。なお、これらのリチウムシリケートは、実際には化学式で示す化学量論比とは多少組成が異なってもよい。
【００２７】
前記改質用触媒と二酸化炭素吸収材の混合比は、各材料の種類、形状によるが、重量比で１：１〜１：８にすることが好ましい。
【００２８】
前記改質用触媒および二酸化炭素吸収材は、粒、ペレットの形状を有することが好ましく、その大きさ（特に径）は２〜１０ｍｍであることが望ましい。それらの大きさを２ｍｍ未満にすると、エタノール水溶液の蒸気の流通による圧力損失が大きくなり水素の生成効率が低下する虞がある。一方、それらの大きさが１０ｍｍを超えると、特に二酸化炭素吸収材内での各種ガスの拡散が律速となり反応を完結させるのが困難となる。
【００２９】
前記二酸化炭素吸収材は、２〜５０μｍの一次粒子から構成される多孔体であることが好ましい。このような多孔質体からなる二酸化炭素吸収材は、二酸化炭素との高い反応性を示す。
【００３０】
前記改質反応器の円筒状本体内部の圧力は、背圧弁１０により制御することが可能で、その圧力は１〜１５気圧にすることが好ましい。前記円筒状本体内での水蒸気改質時の温度は、圧力により最適な値が異なるが、１〜１５気圧の場合、５００〜７５０℃にすることが好ましい。
【００３１】
前記水蒸気改質反応において、二酸化炭素吸収材が二酸化炭素を吸収して、その吸収性能が低下した場合には、再生することが可能である。すなわち、二酸化炭素吸収材（例えばリチウムシリケート）は前述した式（２）のように二酸化炭素との反応が可逆反応である。このため、二酸化炭素を吸収したリチウムシリケートを加熱することによって、二酸化炭素を放出させて再生することができる。
【００３２】
前記二酸化炭素吸収材の再生は、二酸化炭素雰囲気下で行うことにより二酸化炭素吸収材から放出された二酸化炭素を高純度の二酸化炭素として回収することが可能となる。このとき再生は、大気圧、９００℃以下の条件で行うことが好ましい。この再生時の温度が９００℃を超えると、二酸化炭素吸収材（例えばリチウムシリケート）の劣化が激しくなる虞がある。一方、二酸化炭素吸収材の再生を窒素や空気のような二酸化炭素を含まない雰囲気下で行う場合には、二酸化炭素の回収、利用が制限されるものの、再生は大気圧で５５０〜７００℃と比較的低温の条件で行うことが可能になる。
【００３３】
このようにリチウム複合酸化物を含む二酸化炭素吸収材（例えばリチウムシリケート）は、二酸化炭素の吸収、再生が可能であるため、予め複数の反応器を用意し、少なくとも１つの反応容器で前記水蒸気改質を行わせ、同時に残りの反応容器で二酸化炭素を吸収した二酸化炭素吸収材から二酸化炭素を放出させることが可能になり、水素をほぼ連続的に製造することが可能になる。
【００３４】
前記アルデヒド類のような有機化合物の含有量を０．００５体積％未満にすると、エタノールの水蒸気改質反応の際、改質用触媒（およびこの触媒にと共存される二酸化炭素吸収材）への炭素析出を防ぐことが困難になり、これらの性能が経時的に低下する虞がある。前記アルデヒド類のような有機化合物の含有量の上限は、２０体積％であることが好ましい。より好ましい有機化合物の含有量は、０．００５〜１０体積％、最も好ましい有機化合物の含有量は０．１〜２．０体積％である。
【００３５】
以上、実施形態によれば改質用触媒が充填された反応器あるいは改質用触媒と二酸化炭素吸収材が混合して充填された反応器でのエタノールの水蒸気改質に際し、アルデヒド類およびエーテル類から選ばれる少なくとも１つの有機化合物を０．００５体積％以上含有するエタノールを用いることによって、前記改質用触媒（およびこの触媒と共存される二酸化炭素吸収材）への炭素析出を防止することができる。その結果、改質用触媒や二酸化炭素吸収材の経時的な性能低下を抑制することができるため、長期に亘り水素を高収率で安定的に製造することが可能な水素の製造方法を提供することができる。
【００３６】
以下、本発明の実施例を詳細に説明する。
【００３７】
（実施例１）
図１に示す改質反応装置を使用して水素を生成させた。改質反応器１の円筒状本体３は、内径が０．４０ｍ、充填層高さが１．０ｍである。この内部に改質用触媒４０ｇを充填した。改質用触媒としては、ロジウムを約５重量％担持した平均粒径５ｍｍのセリア粒子を用いた。原料ガスは、アセトアルデヒドを０．００５体積％含有するエタノールと水をモル比（エタノールと水のモル比）１：６で混合し、このエタノール水溶液を加熱して蒸気とし、ガス導入管４を通して６００℃に加熱した前記円筒状本体３に０．０３３ｍ3／ｈｒ（気体の標準状態換算）の量で供給してエタノールの水蒸気改質を行った。このとき、前記改質反応器１の円筒状本体３内を背圧弁１０の絞り調節により、５気圧に調整した。
【００３８】
（実施例２）
前記エタノールとしてアセトアルデヒドを１０体積％含有するものを使用した以外、実施例１と同様な方法によりエタノールの水蒸気改質を行った。
【００３９】
（実施例３）
前記エタノールとして１，１−ジエトキシエタンを０．００５体積％含有するものを使用した以外、実施例１と同様な方法によりエタノールの水蒸気改質を行った。
【００４０】
（実施例４）
前記エタノールとして１，１−ジエトキシエタンを１０体積％含有するものを使用した以外、実施例１と同様な方法によりエタノールの水蒸気改質を行った。
【００４１】
（実施例５）
前記エタノールとしてアセトアルデヒド５体積％および１，１−ジエトキシエタン５体積％含有するものを使用した以外、実施例１と同様な方法によりエタノールの水蒸気改質を行った。
【００４２】
（比較例１）
前記エタノールとしてアセトアルデヒドを０．００１体積％含有するものを使用した以外、実施例１と同様な方法によりエタノールの水蒸気改質を行った。
【００４３】
（比較例２）
前記エタノールとして１，１−ジエトキシエタンを０．００１体積％含有するものを使用した以外、実施例１と同様な方法によりエタノールの水蒸気改質を行った。
【００４４】
実施例１〜５および比較例１，２において、エタノール水溶液の蒸気を改質反応器１の円筒状本体３に流通し、その開始から３０分後に生成ガス排出管６から排気されたガスから水分を除去した後、ガスの組成をガスクロマトグラフィ（ジーエルサイエンス社製；マイクロＧＣ［機種名；ＣＰ４９００］）で分析した。
【００４５】
また、前記操作を２００回繰り返した時の生成ガス排出管６から排気されたガスの組成をガスクロマトグラフィ（ジーエルサイエンス社製；マイクロＧＣ［機種名；ＣＰ４９００］）で分析し、水素濃度を求めた。
【００４６】
これらの結果を下記表１に示す。
【表１】
2008280219.tif 000002
【００４７】
前記表１から明らかように実施例１〜５では初期のエタノールの水蒸気改質により得られた生成ガス中の水素濃度が５７体積％を超える高濃度となり、これを２００回繰返した時においても水素濃度が５５〜５７体積％と高濃度を維持することがわかる。
【００４８】
これに対し、比較例１、２では初期のエタノールの水蒸気改質により得られた生成ガス中の水素濃度は５７体積％を超える高濃度であったが、２００回繰返した時では、水素濃度が３５体積％まで低下していた。
【００４９】
（実施例６）
図１に示す改質反応装置を使用して水素を生成させた。改質反応器１の円筒状本体３は、内径が０．４０ｍ、充填層高さが１．０ｍである。この内部に改質用触媒４０ｇ、二酸化炭素吸収材２４０ｇを混合して充填した。改質用触媒としては、ロジウムを約５重量％担持した平均粒径５ｍｍのセリア粒子を用いた。二酸化炭素吸収材としては、リチウムシリケートの粉末を加圧成形することにより直径５ｍｍ、長さ５ｍｍとした圧粉体（多孔質体）を用いた。原料ガスはアセトアルデヒドを０．００５体積％含有するエタノールと水をモル比（エタノールと水のモル比）１：６で混合し、このエタノール水溶液を加熱して蒸気とし、ガス導入管４を通して６００℃に加熱した前記円筒状本体３に０．０３３ｍ3／ｈｒ（気体の標準状態換算）の量で供給してエタノールの水蒸気改質を行った。このとき、前記改質反応器１の円筒状本体３内を背圧弁１０の絞り調節により、５気圧に調整した。
【００５０】
（実施例７）
前記エタノールとしてアセトアルデヒドを１０体積％含有するものを使用した以外、実施例６と同様な方法によりエタノールの水蒸気改質を行った。
【００５１】
（実施例８）
前記エタノールとして１，１−ジエトキシエタンを０．００５体積％含有するものを使用した以外、実施例６と同様な方法によりエタノールの水蒸気改質を行った。
【００５２】
（実施例９）
前記エタノールとして１，１−ジエトキシエタンを１０体積％含有するものを使用した以外、実施例６と同様な方法によりエタノールの水蒸気改質を行った。
【００５３】
（実施例１０）
前記エタノールとしてアセトアルデヒド５体積％および１，１−ジエトキシエタン５体積％含有するものを使用した以外、実施例６と同様な方法によりエタノールの水蒸気改質を行った。
【００５４】
（比較例３）
前記エタノールとしてアセトアルデヒドを０．００１体積％含有するものを使用した以外、実施例６と同様な方法によりエタノールの水蒸気改質を行った。
【００５５】
（比較例４）
前記エタノールとして１，１−ジエトキシエタンを０．００１体積％含有するものを使用した以外、実施例６と同様な方法によりエタノールの水蒸気改質を行った。
【００５６】
実施例６〜１０および比較例３，４において、エタノール水溶液の蒸気を改質反応器１の円筒状本体３に流通し、その開始から３０分後に生成ガス排出管６から排気されたガスから水分を除去した後、ガスの組成をガスクロマトグラフィ（ジーエルサイエンス社製；マイクロＧＣ［機種名；ＣＰ４９００］）で分析した。
【００５７】
また、前記操作を２００回繰り返した時の生成ガス排出管６から排気されたガスの組成をガスクロマトグラフィ（ジーエルサイエンス社製；マイクロＧＣ［機種名；ＣＰ４９００］）で分析し、水素濃度を求めた。
【００５８】
これらの結果を下記表２に示す。
【表２】
2008280219.tif 000003
【００５９】
前記表２から明らかように実施例６〜１０では初期のエタノールの水蒸気改質により得られた生成ガス中の水素濃度が９８体積％を超える高濃度となり、これを２００回繰返した時においても水素濃度が９６〜９７体積％と高濃度を維持することがわかる。
【００６０】
これに対し、比較例３，４では初期のエタノールの水蒸気改質により得られた生成ガス中の水素濃度は９８体積％を超える高濃度であったが、２００回繰返した時では、水素濃度が４０体積％まで低下していた。
【００６１】
実施例においては、エタノールを使用したが、本発明はエタノールに限定されるものではなく、メタノール等の他のアルコールにも適用可能なものである。
【図面の簡単な説明】
【００６２】
【図１】実施形態に係るエタノールからの水素製造に用いられる改質反応装置を示す部分断面図。
【符号の説明】
【００６３】
１…改質反応器、３…円筒状本体、４…ガス導入管、６…生成ガス排出管、１０…背圧弁、１２…改質用触媒、１３…二酸化炭素吸収材（リチウムシリケート）
【図１】
2008280219.tif 000004